(57)【要約】【課題】  基材にフック材を取り付けるに際して、効率的でしかも良好な耐剥離接着力と良好な耐せん断接着力が得られる止着片を提供する。【解決手段】  止着片７は、シート状の基材１７と、該基材１７に接着剤１８によって接合されたフック材１９とを有し、使い捨ておむつを着用状態に保持するために用いられる。接着剤１８は、スチレン系ブロックポリマーをベースポリマーとして５重量％以上含み、塗布される坪量は５０〜２００ｇ／ｍ2 とされる。【選択図】  図２
2006223453.tif 000002
【特許請求の範囲】
【請求項１】
シート状の基材と、該基材に接着剤によって接合されたフック材とを有し、使い捨て吸収性物品を着用状態に保持するために用いられる止着片において、
前記接着剤は、スチレン系ブロックポリマーをベースポリマーとして含むことを特徴とする止着片。
【請求項２】
請求項１に記載の止着片において、
前記接着剤は、塗布される坪量が５０〜２００ｇ／ｍ2 であることを特徴とする止着片。
【請求項３】
請求項１または請求項２に記載の止着片において、
前記基材は不織布からなり、その坪量が３０〜１００ｇ／ｍ2 であることを特徴とする止着片。
【請求項４】
請求項１ないし請求項３のいずれかに記載の止着片において、
前記接着剤は、前記スチレン系ブロックポリマーを５重量％以上含むことを特徴とする止着片。
【請求項５】
請求項１ないし請求項４のいずれかに記載の止着片を用いた使い捨て吸収性物品であって、
背部にあてがわれる後背部と腹部にあてがわれる前腹部とそれら後背部と前腹部間に連なって設けられる股部とを備え、前記止着片が左右対で前記後背部および／または前記前腹部にそれぞれ設けられてなることを特徴とする使い捨て吸収性物品。
【発明の詳細な説明】
【技術分野】
【０００１】
本発明は、使い捨ておむつや吸収パッド等の使い捨て吸収性物品を着用状態に保持するために用いられる止着片およびその止着片を用いた使い捨て吸収性物品に関するものである。
【背景技術】
【０００２】
従来より、この種の使い捨て吸収性物品に用いられる止着片として、シート状の基材に固定用材料としてのフック材を取り付けて形成した構造のものがあり、このフック材を対応する固定用材料としてのループ材等に着脱自在に止着する構造とされていた（例えば、特許文献１参照）。
【０００３】
かかる特許文献１に開示の技術では、基材にフック材を固定するにあたり、接着剤と熱接合の両方を用いることによって、前記着脱操作時等において、基材からのフック材の不用意な離脱を防止すべく、作用する剥離力に対しての良好な接着力、いわゆる耐剥離接着力と、作用するせん断力に対しての良好な接着力、いわゆる耐せん断接着力とを同時に得ることを見出している。
【０００４】
【特許文献１】特表平９−５０１５９０号公報
【発明の開示】
【発明が解決しようとする課題】
【０００５】
しかしながら、特許文献１に開示の技術によれば、熱接合等の機械的な接合手段を用いているため、熱接合時等にフック材のフック部を押しつぶす事態を招き、使用したフック部の全体面積に対する実際の止着片として有効に機能するフック部の有効面積が減少することとなる。従って、使い捨て吸収性物品に利用する止着片として望ましいフック部の有効面積を確保するためには、熱接合部位等で押しつぶされて減少するフック部面積を考慮して、より大面積のフック材が必要とされ、非効率的であった。
【０００６】
そこで、本発明の解決すべき課題は、基材にフック材を取り付けるに際して、効率的でしかも良好な耐剥離接着力と良好な耐せん断接着力が得られる止着片およびその止着片を用いた使い捨て吸収性物品を提供することを目的とする。
【課題を解決するための手段】
【０００７】
上記の課題を解決するため、請求項１の発明では、シート状の基材と、該基材に接着剤によって接合されたフック材とを有し、使い捨て吸収性物品を着用状態に保持するために用いられる止着片において、前記接着剤は、スチレン系ブロックポリマーをベースポリマーとして含む構造とされている。
【０００８】
また、請求項２の発明では、請求項１の発明に係る止着片において、前記接着剤は、塗布される坪量が５０〜２００ｇ／ｍ2 である構造とされている。
【０００９】
さらに、請求項３の発明では、請求項１または請求項２の発明に係る止着片において、前記基材は不織布からなり、その坪量が３０〜１００ｇ／ｍ2 である構造とされている。
【００１０】
また、請求項４の発明では、請求項１ないし請求項３のいずれかに記載の止着片において、前記接着剤は、前記スチレン系ブロックポリマーを５重量％以上含む構造とされている。
【００１１】
さらに、請求項５の発明では、請求項１ないし請求項４のいずれかに記載の止着片を用いた使い捨て吸収性物品であって、背部にあてがわれる後背部と腹部にあてがわれる前腹部とそれら後背部と前腹部間に連なって設けられる股部とを備え、前記止着片が左右対で前記後背部および／または前記前腹部にそれぞれ設けられてなる構造とされている。
【発明の効果】
【００１２】
請求項１に記載の発明に係る止着片においては、基材にフック材を取り付ける際に、スチレン系ブロックポリマーをベースポリマーとして含む接着剤を用いる構造であり、接着剤自体によってゴム弾性力が得られるため、良好な耐剥離接着力だけでなく、良好な耐せん断接着力も得られる利点がある。従って、接着剤による接合だけでも良好に接合でき、従来のような熱接合等の機械的な接合手段を併用する必要がないため、フック材を押しつぶすこともなく、フック材を有効利用でき、効率的に提供できる利点がある。
【００１３】
また、請求項２に記載の発明によれば、接着剤は、塗布される坪量を５０〜２００ｇ／ｍ2 としているので、より良好な耐剥離接着力を得ることができる。
【００１４】
さらに、請求項３に記載の発明によれば、基材は不織布からなり、その坪量が３０〜１００ｇ／ｍ2 である構造とされているため、柔軟で、かつ形状が安定して摘みやすい止着片を得ることができる。
【００１５】
また、請求項４に記載の発明によれば、接着剤は、スチレン系ブロックポリマーを５重量％以上含むため、より効果的な耐せん断接着力を発揮できるゴム弾性力を獲得できる。
【００１６】
さらに、請求項５に記載の発明に係る使い捨て吸収性物品によれば、請求項１ないし請求項４のいずれかに記載の発明に係る止着片が、左右対で後背部および／または前腹部にそれぞれ設けられてなる構造であり、フック材を１００％有効に利用し、かつ基材との接合において良好な耐せん断接着力と良好な耐剥離接着力を同時に併せ持った止着片を有する使い捨て吸収性物品を提供することができる。
【発明を実施するための最良の形態】
【００１７】
＜第１の実施形態＞
以下、本発明の第１の実施形態を図面に基づいて説明すると、図１ないし図３に示されるように、使い捨て吸収性物品の一例としての使い捨ておむつ１は、着用者の背部にあてがわれる後背部１ａと、腹部にあてがわれる前腹部１ｂと、それら後背部１ａと前腹部１ｂ間に連なって設けられると共に両側部が切欠状とされて若干幅狭に形成され、着用者の股部にあてがわれる股部１ｃとを有し、外面側に配置されるバックシート３と、該バックシート３上に配置される吸収体４と、該吸収体４を覆って前記バックシート３側等に接合配置されるトップシート５と、該トップシート５上で左右に離隔して配置されると共にバックシート３側やトップシート５側等に接合配置されるサイドシート６とがそれぞれ積層された構造とされている。
【００１８】
そして、後背部１ａの左右両側縁部には、幅方向外側方へ延出状に接合された左右一対の止着片７が備えられており、図３に示されるように、前腹部１ｂにおけるバックシート３の外面側に装着された止着部８に各止着片７を係脱自在に止着することにより、着用状態で保持される構造とされている。
【００１９】
また、後背部１ａや前腹部１ｂにおける着用者の腰周りに対応する部分には、それぞれウエスト用弾性部材１０が伸張状態で介在され、股部１ｃにおける着用者の脚周りに対応する部分にはそれぞれ脚用弾性部材１１が伸張状態で介在され、各サイドシート６の内側端縁部にはそれぞれ立体用弾性部材１２が伸張状態で介在されている。
【００２０】
そして、各ウエスト用弾性部材１０の収縮・伸張により後背部１ａや前腹部１ｂが着用者の腰周りに沿うウエストギャザー部１３が構成され、各脚用弾性部材１１の収縮・伸張により股部１ｃの両側縁部が着用者の脚周りに沿う脚ギャザー部１４が構成され、各立体用弾性部材１２の収縮力により各サイドシート６の内側端縁部が着用者の肌側に押し付けられるべく内向きに起立する立体部１５が構成される。
【００２１】
前記トップシート５は液体透過性材料、例えば透液性の不織布等により構成され、前記バックシート３は液体不透過性材料、例えば不透液性のプラスチックフィルムや撥水性不織布等により構成されている。
【００２２】
前記吸収体４は、股部１ｃを中心として後背部１ａから前腹部１ｂにわたって配置される構造とされ、例えば、粉砕したパルプ繊維やセルロース繊維等の親水性繊維集合層に粒状の高分子吸収体を混合した塊をティッシュペーパー等の紙シートまたは透液性不織布シート等の被覆シートで包み、所定形状に成形された構造とされている。
【００２３】
前記サイドシート６は液体不透過性材料、例えば不透液性のプラスチックフィルムや撥水性不織布等により構成されている。
【００２４】
前記ウエスト用弾性部材１０、脚用弾性部材１１および立体用弾性部材１２は、一般に使い捨ておむつに用いられる弾性伸縮材料（ポリウレタン糸、ポリウレタンフィルム、天然ゴム等）が用いられ、伸張状態で、ホットメルト接着剤、熱接着、超音波接着等の好適な添設手段でもって添設される。好ましくは、繊度３００〜１８５０デシテックスのポリウレタン糸を、倍率１．１〜４．０倍に伸張して添設する。また、添設手段としてはゴム系のホットメルト接着剤を用いることが好ましい。
【００２５】
前記各止着片７は、図１や図２に示されるように、矩形シート状の基材本体部１７ａと基材本体部１７ａの外側端縁より上下に二股状に分かれて延設された２片のつまみ部１７ｂとを有する基材１７と、各つまみ部１７ｂの内面側（図３に示される装着状態で止着部８に面する側の一方面）に接着剤１８を介してそれぞれ接合されたフック材１９とから構成されている。
【００２６】
前記基材１７は、例えば、不織布からなり、中でも、スパンボンド法、エアースルー法、ポイントボンド法、メルトブロー法およびエアレイド法のうちの１つまたは複数の製法の組み合わせによって製造される不織布が好ましい。さらに、坪量が３０〜１００ｇ／ｍ2 で、スパンボンド法もしくは、スパンボンド法とメルトブロー法とを組み合わせたＳＭＳ法により製造された不織布が、柔軟で、かつ形状が安定して摘みやすく、強度の点からもより好ましい。そしてより一層、好ましいのは、坪量５０〜８５ｇ／ｍ2 でスパンボンド法により製造された不織布である。また、材質としては、ポリプロピレン、ポリエチレン、ポリエステル、ポリアミド等の合成繊維、パルプ、絹等の天然繊維から適宜選択すればよく、好ましくはポリプロピレン、ポリエチレン、ポリエステルといった合成繊維が利用でき、中でもポリプロピレン、ポリエステル繊維を主成分とするものは強度があり、好適である。そして最も好ましいのは、ポリエステル繊維である。なお、基材１７は不織布に限らず、織布、編布、プラスチップ材等から適宜選択すればよい。
【００２７】
前記フック材１９は、矩形状のベースシート１９ａと該ベースシート１９ａの表面から突出状に設けられた多数のフック部１９ｂとからなり、ベースシート１９ａにおけるフック部１９ｂが備えられていない面側が接着剤１８によってつまみ部１７ｂに貼り付け固定されている。前記フック部１９ｂの形状としては錨形や鈎形等が好ましく、このようなフック材１９としては、例えば「マジックテープ（登録商標）」（クラレ社製）、「クイックロン（登録商標）」（ＹＫＫ社製）、「マジクロス（登録商標）」（カネボウベルタッチ社製）等の市販品を用いることができる。
【００２８】
また、このようなフック材１９が係脱自在に止着される止着部８としては、表面に微細なループ構造が密に形成された不織布、織布、編み物等や不織布、織布等を表面に有するプラスチックフィルム複合材等のいわゆるループ材を用いればよい。
【００２９】
前記接着剤１８としては、スチレン系ブロックポリマーをベースポリマーとして含むものであり、例えば、スチレン−エチレン−ブチレン−スチレンブロック共重合体（ＳＥＢＳ）、スチレン−エチレン−プロピレン−スチレンブロック共重合体（ＳＥＰＳ）、スチレン−イソプレン−スチレンブロック共重合体（ＳＩＳ）、スチレン−ブタジエン−スチレン共重合体（ＳＢＳ）、ＳＩＳの水素添加物（水添ＳＩＳ）等のスチレン系ブロックポリマーをベースポリマーとして含む粘着剤が挙げられる。また、ベースポリマーとしてそれらスチレン系ブロックポリマーを１００％用いることが好ましいが、粘着性や流動性を調節するという観点から、エチレン・プロピレンコポリマー等のアモルファスポリアルファオレフィン（ＡＰＡＯ）や通常のオレフィン、エチレン−酢酸ビニルコポリマー（ＥＶＡ）、ポリエステルを混ぜ合わせて使用してもよい。
【００３０】
また、ジシクロペンタジエン樹脂、Ｃ５系またはＣ９系炭化水素樹脂、脂環族系炭化水素樹脂、ロジン類、テルペン類等の粘着付与剤や、酸化防止剤、紫外線吸収剤、軟化剤、可塑剤、難燃剤、粘度調整剤等を添加してもよい。
【００３１】
さらに、接着剤１８としては、スチレン系ブロックポリマーを５重量％以上含むことが効果的な耐せん断接着力を得るためのゴム弾勢力を獲得できる点から好ましく、さらには９重量％以上含むことがより好ましい。また、溶融粘度としては、１６０℃で１，０００〜１２，０００ｃｐｓである事が好ましく、さらに好ましくは、３，０００〜１０，０００ｃｐｓである。接着剤１８は、コーター塗工、スパイラル塗工、ビード塗工、スプレー塗工等の任意の方法で、基材１７面側もしくは、フック材１９面側のいずれか一方あるいは双方に塗工すればよい。そして、本実施形態では、好ましいコーター塗工によって塗布されており、その塗布される坪量としては、耐剥離接着力の観点から５０〜２００ｇ／ｍ2 とされており、さらに好ましくは、７０〜１８０ｇ／ｍ2 とされる。
【００３２】
そして、上記構成の止着片７における一方側端部の基端部側は、ホットメルト接着剤等による接合部２１を介して、例えばバックシート３とサイドシート６との相互間で挟持状に接合されている。また、止着片７における他方側端部のつまみ部１７ｂ側は、図１や図２に示されるように、折返し状態として保持される構造とされている。例えば、つまみ部１７ｂの内面側に貼着されたフック材１９のフック部１９ｂが対向する基材本体部１７ａの内面側に係脱自在に係止されることにより折返し状態で保持されている。なお、基材１７が前記フック部１９ｂが係脱自在に係止されない材質により構成されている場合には、フック部１９ｂが係脱自在に係止する係止部材を基材本体部１７ａの内面側に別途、貼着しておけばよい。
【００３３】
このように、つまみ部１７ｂを折返し状態で保持する構造としておけば、使い捨ておむつ１の不使用時等において、フック材１９が所定の場所以外の場所に不用意に付着してしまうことが有効に防止でき、取扱性に優れる。
【００３４】
本実施形態は以上のように構成されており、この使い捨ておむつ１の使用に際しては、後背部１ａを着用者の背部にあてがい、着用者の股部から引き出した前腹部１ｂを腹部にあてがって、左右の止着片７における折返し状態の各つまみ部１７ｂをそれぞれ展開し、その内面のフック材１９におけるフック部１９ｂを前腹部１ｂの止着部８に止着させればよい。
【００３５】
この使い捨ておむつ１の装着状態においては、ウエストギャザー部１３、脚ギャザー部１４および立体部１５による着用者の各部肌側への密着作用により、尿等の排泄物の横漏れ、股漏れ、背漏れ、腹漏れ等の漏れが有効に防止でき、トップシート５を透過した尿等の排泄物を吸収体４で効果的に収容でき、外面側のバックシート３により衣服等の外部への漏れを有効に防止できる。
【００３６】
そして、本実施形態においては、基材１７に対してフック材１９をスチレン系ブロックポリマーをベースポリマーとして含む接着剤１８を用いて接合する構造であり、接着剤１８自体によってゴム弾性力が得られるため、良好な耐剥離接着力だけでなく、良好な耐せん断接着力も得られる利点がある。従って、接着剤１８による接合だけでも良好に接合でき、従来のような熱接合等の機械的な接合手段を併用する必要がないため、フック部１９ｂを押しつぶすこともなく、フック材１９を１００％有効利用でき、効率的に提供できる利点がある。
【００３７】
この際、接着剤１８を塗布する坪量を５０〜２００ｇ／ｍ2 とすることによって、より良好な耐剥離接着力を得ることができ、さらには、接着剤１８として、スチレン系ブロックポリマーを５重量％以上含む構造とすることによって、より効果的なせん断接着力を発揮できるゴム弾性力を獲得できる。
【００３８】
また、基材１７は不織布からなり、その坪量が３０〜１００ｇ／ｍ2 である構造とされているため、柔軟で、かつ形状が安定して摘みやすい、強度的にも良好な止着片７を得ることができる。
【００３９】
＜第２の実施形態＞
図４は第２の実施形態を示しており、第１の実施形態と同様構成部分は同一符号を付し、その説明を省略する。
【００４０】
即ち、本実施形態においては、使い捨て吸収性物品の他の一例として、使い捨てパンツ１０１を示しており、前腹部１０２の幅方向両端部と後背部１０３の幅方向両端部が互いにサイド接合部１０４によってそれぞれ接合されて略環状に構成されると共に、前腹部１０２と後背部１０３とにまたがって延びる股部１０５を備え、腰周り開口部１０６と一対の脚周り開口部１０７とが形成されたいわゆるパンツ型に構成されている。
【００４１】
また、使い捨てパンツ１０１は、腰周り開口部１０６に沿って伸張状態で添設されたウエスト用弾性部材１１０と一対の脚周り開口部１０７にそれぞれ沿って伸張状態で添設された脚用弾性部材１１１および前腹部１０２の胴周りに沿って伸張状態で添設されたボディ用弾性部材１１２を有し、それら弾性部材１１０，１１１，１１２の収縮・伸張作用により、着用者の腰周りや脚周りや胴周りに好適にフィットするウエストギャザー部１１３、脚ギャザー部１１４、ボディギャザー部１１５が構成されている。
【００４２】
さらに、使い捨てパンツ１０１の前腹部１０２に、前記第１の実施形態の使い捨ておむつ１と同様構成のフック材１９が接着剤１８により接合された止着片７が左右一対備えられると共に、フック材１９が係脱自在に止着されるループ材等からなる止着部８を備えた構造とされている。この際、止着片７の各つまみ部１７ｂは展開状態とされ、各フック材１９は止着部８に止着された状態とされている。そして、この使い捨てパンツ１０１は通常のパンツ状態で使用する場合のほか、必要に応じて止着片７と止着部８との着脱操作を介して展開型のおむつ状態で使用することもできる構造とされている。
【００４３】
本実施形態の使い捨てパンツ１０１は以上のように構成されており、本実施形態における止着片７においても良好な耐剥離接着力と良好な耐せん断接着力が得られ、フック材１９を１００％有効利用でき、効率的に提供できる等、第１の実施形態と同様の利点を奏する。
【００４４】
なお、上記実施形態において、使い捨ておむつ１や使い捨てパンツ１０１に止着片７を用いた構造を示しているが、生理用品のような吸収パッド等であってもよく、実施形態の構造に何ら限定されない。
【００４５】
また、左右一対の止着片７を用いた構造を示しているが、複数対の止着片７を用いた構造であってもよく、その形状も実施形態の形状に何ら限定されない。
【図面の簡単な説明】
【００４６】
【図１】本発明の第１の実施形態に係る使い捨ておむつの展開図である。
【図２】図１のII−II線断面矢視分解図である。
【図３】使い捨ておむつの使用状態説明図である。
【図４】第２の実施形態に係る使い捨てパンツの使用状態説明図である。
【符号の説明】
【００４７】
１  使い捨ておむつ、１ａ  後背部、１ｂ  前腹部、１ｃ  股部、１７  基材、１７ａ  基材本体部、１７ｂ  つまみ部、１８  接着剤、１９  フック材、１９ａ  ベースシート、１９ｂ  フック部、１０１  使い捨てパンツ、１０２  前腹部、１０３  後背部、１０５  股部。
【図１】
2006223453.tif 000003
【図２】
2006223453.tif 000004
【図３】
2006223453.tif 000005
【図４】
2006223453.tif 000006